【事件の表示】
　特許第３１４７８３７号「緊急監視装置」の請求項１ないし１０に係る特許に対する特許異議の申立てについて、次のとおり決定する。
【結　論】
　訂正を認める。
　特許第３１４７８３７号の請求項１ないし１０に係る特許を取り消す。
【理　由】
〔１〕本件特許及び本件特許異議事件についての手続の経緯
　本件特許及び本件特許異議事件（特許第３１４７８３７号（以下「本件特許」という。）異議申立て）に係る手続の経緯の概要は、以下のとおりである。
１) 本件特許の出願日：平成９年１１月２１日
２) 特許権の設定の登録：平成１３年１月１２日
３) 特許掲載公報の発行：平成１３年３月１９日
４) 特許異議の申立て(全請求項)（異議申立人・小沢久美子）：平成１３年９月１８日付け
５) 審尋：平成１３年１１月１４日付け
６) 回答書（特許権者）：平成１４年１月２５日付け
７) 口頭審理陳述要領書（異議申立人）：平成１４年６月２４日付け
８) 口頭による審尋（第１回）：平成１４年６月２５日
９) 口頭審理（第１回）：平成１４年６月２５日
10) 上申書（異議申立人）：平成１４年７月３日付け
11) 取消理由通知：平成１４年７月９日付け（発送日：同年７月２３日）
12) 特許異議意見書（特許権者）：平成１４年９月２０日付け
13）第２回口頭審理陳述要領書（異議申立人）：平成１４年１０月２９日付け
14) 口頭による審尋（第２回）：平成１４年１１月８日
15) 口頭審理（第２回）：平成１４年１１月８日
〔２〕訂正事項と訂正の適否についての判断
１．本件訂正請求は、特許請求の範囲の請求項１中、「この一方の通話装置と接続される他方の通話装置を有するとともにこの他方の通話装置および前記一方の通話装置間の導通接続・開放を制御する通話制御装置」を、「この一方の通話装置と接続される他方の通話装置を有するとともにこの他方の通話装置および前記一方の通話装置間の導通接続・開放を制御するもので、前記受信装置の緊急信号の受信に基づき前記一方の通話装置および前記他方の通話装置間を導通接続して通話可能状態にする通話制御装置」と訂正するとともに、発明の詳細な説明の対応箇所を、特許請求の範囲の記載と整合するように訂正するものである。
　
２．そこで、訂正事項について検討すると、訂正事項は、請求項１に係る発明の「通話装置」を「受信装置の緊急信号の受信に基づき前記一方の通話装置および前記他方の通話装置間を導通接続して通話可能状態にする」ものである旨限定したものであるから、本件訂正は、特許法第１２０条の４第２項ただし書第１号にいう特許請求の範囲を減縮に該当し、また、訂正事項は、願書に添附した明細書の段落００１１、００１２、００８２に記載されたものであって、実質上特許請求の範囲を拡張し又は変更するものでもないので、同条第３項で準用する第１２６条第２項及び第３項の規定にも適合する。
  したがって、本件訂正はこれを認める。
　
〔３〕取消理由についての判断
１．本件請求項１に係る発明は、訂正された明細書及び図面の記載からみて、その特許請求の範囲の請求項１乃至請求項１０に記載された以下のものにある。
「請求項１
  スイッチ操作部を有しこのスイッチ操作部の操作によるスイッチの閉成で緊急信号を送信する携帯型の無線送信端末機と、
  この無線送信端末機からの緊急信号を受信する受信装置と、
　この受信装置に接続された一方の通話装置と、
　この一方の通話装置と接続される他方の通話装置を有するとともにこの他方の通話装置および前記一方の通話装置間の導通接続・開放を制御するもので、前記受信装置の緊急信号の受信に基づき前記一方の通話装置および前記他方の通話装置間を導通接続して通話可能状態にする通話制御装置と、
　この通話制御装置に接続され前記受信装置の緊急
　監視カメラと、
　この監視カメラからの映像を映し出すモニタテレビを有するとともに前記監視カメラの作動・選択・停止を制御するカメラ制御装置と、
　このカメラ制御装置と前記通話制御装置とに接続されこの通話制御装置からの緊急信号の出力に基づき前記カメラ制御装置へ前記監視カメラを作動
させる制御信号を出力するとともに前記通話制御装置による前記一方の通話装置および前記他方の通話装置間の開放に基づき前記カメラ制御装置へ前記監視カメラの作動を停止させる制御信号を出力する通話側接続ユニットと
　を具備したことを特徴とする緊急監視装置。
請求項２
  無線送信端末機は、スイッチ操作部の操作によるスイッチの閉成で緊急音声発生信号を受信装置に送信し、
　この受信装置は、前記無線送信端末機からの緊急音声発生信号を受信しこの緊急音声発生信号の受信に基づき肉声に代わる固定音声を発生させる
　ことを特徴とする請求項１記載の緊急監視装置。
請求項３
  空間異常を検知しこの空間異常の検知に基づきセンサ検知信号を送信する空間系センサと、
  この空間系センサからのセンサ検知信号を受信しこのセンサ検知信号の受信に基づき動作するセキュリティ制御装置と、
  このセキュリティ制御装置に接続されこのセキュリティ制御装置のセンサ検知信号の受信に基づき発生する緊急信号の出力により緊急警報を発生する警報器と、
  前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットと
　を備えたことを特徴とする請求項１または２記載の緊急監視装置。
請求項４
  設備の異常を検知しこの設備異常の検知に基づきセンサ検知信号を送信する設備系センサと、
  この設備系センサからのセンサ検知信号を受信しこのセンサ検知信号の受信に基づき動作するセキュリティ制御装置と、
  このセキュリティ制御装置に接続されこのセキュリティ制御装置のセンサ検知信号の受信に基づき発生する緊急信号の出力により緊急警報を発生する警報器と、
  前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットと
  を備えたことを特徴とする請求項１ないし３のいずれかに記載の緊急監視装置。
請求項５
  設備系センサに接続された設備用送受信装置を備え、設備系センサは、設備の状態を検知しこの検知に基づき設備状態表示信号を前記設備用送受信装置に出力し、
  セキュリティ制御装置は、設備の状態を表示する表示器を有するとともに前記設備系センサからの設備状態表示信号を受信しこの設備状態表示信号の受信に基づき設備が正常状態か異常状態かを前記表示器にて表示する
  ことを特徴とする請求項４記載の緊急監視装置。
請求項６
  無線送信端末機は、スイッチ操作部の操作によるスイッチの閉成で異常緊急信号を設備用送受信装置に送信し、
  設備用送受信装置は、前記無線送信端末機からの異常緊急信号を受信しこの異常緊急信号をセンサ検知信号としてセキュリティ制御装置に送信し
  セキュリティ制御装置は、前記設備用送受信装置からのセンサ検知信号を受信しこのセンサ検知信号の受信に基づき動作する
  ことを特徴とする請求項５記載の緊急監視装置。
請求項７
  通信回線を利用して外部に信号を送信するとともに外部からの信号を受信する外部通信ユニットを備え、
  セキュリティ側接続ユニットは、緊急信号の出力に基づき前記外部通信ユニットへ緊急警報信号を外部に送信させる制御信号を出力する
  ことを特徴とする請求項３ないし６のいずれかに記載の緊急監視装置。
請求項８
  セキュリティ側接続ユニットは、カメラ制御装置による監視カメラの作動に基づき外部通信ユニットへ前記監視カメラからの映像信号を外部に送信させる制御信号を出力する
  ことを特徴とする請求項７記載の緊急監視装置。
請求項９
  セキュリティ制御装置からの設備制御信号を受信しこの設備制御信号に基づ備を制御する設備制御用受信装置を備え、
  外部通信ユニットは、外部からの設備制御信号を受信し、
  セキュリティ側接続ユニットは、前記外部通信ユニットによる設備制御信号の受信に基づき前記セキュリティ制御装置へ前記外部通信ユニットが受信した設備制御信号を前記設備制御用受信装置に送信させる制御信号を出力する
  ことを特徴とする請求項７または８記載の緊急監視装置。
請求項１０
  外部通信ユニットは、外部からの監視カメラ制御信号を受信し、
  セキュリティ側接続ユニットは、前記外部通信ユニットによる監視カメラ制御信号の受信に基づき前記カメラ制御装置へ監視カメラ制御信号に基づき監視カメラを制御させる制御信号を出力する
  ことを特徴とする請求項７ないし９のいずれかに記載の緊急監視装置。」
　
２．これに対して、当審における平成１４年７月９日付けの取消理由通知書に示した引用文献には、それぞれ以下の点が記載されている。
(１)引用文献１：特開平４−３２２６４９号公報
　病室監視装置に関して、図１〜５とともに、以下の事項が記載されている。
ア）「各病室にそれぞれ設置され、ナースコールスイッチの閉成によりＯＮとなるＴＶカメラおよび患者用マイクロフォンと；ナースステーションに設置され、各病室に対応する複数の表示装置を収容する集中監視盤と；を備え、前記各表示装置は、前記ナースコールスイッチの閉成を報知する報知手段と、前記ＴＶカメラで捕らえた画像を表示する液晶表示パネルと、前記患者用マイクロフォンからの音声信号を出力するスピーカーと、応答スイッチの閉成によりＯＮとなり各病室に設置された患者用スピーカーに音声信号を送るナース用マイクロフォンと、前記ＴＶカメラおよび患者用マイクロフォンをＯＦＦにする解除スイッチと、少なくともＴＶカメラを強制的にＯＮにする強制ＯＮスイッチとを具備することを特徴とする病室監視装置。」（第２頁、特許請求の範囲の請求項１）
イ）「本発明は、病室内の患者を監視する病室監視装置に係り、特に患者の状態を、映像と音声との両方で把握することができる病室監視装置に関する。」（第２頁左欄第１８〜２１行）
ウ）「本発明は、前記目的を達成する手段として、各病室にそれぞれ設置され、ナースコールスイッチの閉成によりＯＮとなるＴＶカメラおよび患者用マイクロフォンと；ナースステーションに設置され、各病室に対応する複数の表示装置を収容する集中監視盤と；を備え、前記各表示装置は、前記ナースコールスイッチの閉成を報知する報知手段と、前記ＴＶカメラで捕らえた画像を表示する液晶表示パネルと、前記患者用マイクロフォンからの音声信号を出力するスピーカーと、応答スイッチの閉成によりＯＮとなり各病室に設置された患者用スピーカーに音声信号を送るナース用マイクロフォンと、前記ＴＶカメラおよび患者用マイクロフォンをＯＦＦにする解除スイッチと、少なくともＴＶカメラを強制的にＯＮにする強制ＯＮスイッチとを具備することを特徴とする。」（第２頁左欄第５０行〜右欄第１４行）
エ）「図１は、本発明に係る病室監視装置の一例を示すもので、図中、符号１は、病室の天井部に設置されたＴＶカメラであり、このＴＶカメラ１は、各患者２のベッド３に付属する制御盤４のナースコールボタン５を操作することにより起動して当該患者２の方にＴＶカメラ１を向けるためのターンテーブル６に、指向性マイクロフォン７とともに取付けられている。」（第２頁右欄第３３〜３９行）
オ）「患者２がナースコールボタン５を操作すると、当該患者２に対応する表示装置１２が起動するとともに、ターンテーブル６によりＴＶカメラ１が当該患者２の方に向き、予め設定されているズーミング動作がなされる。・・・表示装置１２が起動すると、まずパイロットランプ１４が点灯するとともに、スピーカー１５からアラーム音が出力され、ナース９に報知する。これと同時に、カラー液晶表示パネル１３がＯＮとなり、ＴＶカメラ１で捕らえた患者２の画像が、カラー液晶表示パネル１３に表示されるとともに、指向性マイクロフォン７からの患者２の音声が、スピーカー１５から出力される。・・・ナース９がスイッチ１６ａを閉成すると、マイクロフォン１６がＯＮとなり、ナース９の応答が可能となる。ナース９からの音声は、制御盤４のスピーカー１０から出力される。・・・用件が済んだ場合には、スイッチ１６ａを閉成してマイクロフォン１６をＯＦＦにするとともに、解除ボタン１７を操作してＴＶカメラ１および指向性マイクロフォン７をＯＦＦにする。これにより、パイロットランプ１４が消灯するとともに、カラー液晶表示パネル１３がＯＦＦとなる。・・・夜間の定期巡回等、ナース９側から患者２の状態を知る必要がある場合には、強制ＯＮボタン１８を操作する。すると、ＴＶカメラ１および指向性マイクロフォン７がＯＮとなり、ＴＶカメラ１で捕らえた画像がカラー液晶表示パネル１３に表示されるとともに、病室内の音声がスピーカー１５から出力される。ナース９が、患者２に対し呼びかける必要がある場合には、スイッチ１６ａを閉成してマイクロフォン１６をＯＮにする。・・・なお、この際、集中監視盤１１に病室別の強制ＯＮボタンを設け、この強制ＯＮボタンを操作することにより、これに対応する複数の表示装置１２のうちの特定の液晶表示パネル１３に、病室内の全景が広角レンズを介し映し出されるようにし、その表示内容を見て、特定の表示装置１２の強制ＯＮボタン１８を操作することにより、特定の患者２が拡大して映し出されるようにしてもよい。」（第３頁左欄第２３行〜右欄第１２行）
オ）「計測データ値が異常の場合に、監視用コンピュータ２９からの信号で、表示装置１２を自動起動させるようにすることにより、迅速な応答が可能となる。」（第４頁左欄第１４〜１７行）
カ）「本発明は、各病室に設置されたＴＶカメラおよび患者用マイクロフォンをナースコールスイッチの閉成で起動し、ＴＶカメラからの映像および患者用マイクロフォンからの音声を、ナースステーションに設置された集中監視盤内の表示装置に出力するようになっており、しかもナース側からの応答もできるようになっているので、ナースステーションにいながら、患者の状態を容易かつ正確に把握することができる。・・・また、ＴＶカメラおよび患者用マイクロフォンは、ナースコールスイッチの閉成により起動し、患者は常時監視されているわけではないので、精神的な圧迫感がないのみならず、万一の場合には、自分の意思をナースに充分伝えることができるので、大きな安心感が得られる。・・・また、ＴＶカメラは、表示装置の強制ＯＮスイッチにより強制的にＯＮすることができるので、夜間の定期巡回等を、ナースステーションにいながら行なうことができ、ナースの負担を大幅に軽減することができる。」（第４頁左欄第１２行〜右欄第６行）
　
(２)引用文献２：特開平３−２７８２００号公報
　緊急無線通報システムに関して、第１、２図とともに、以下の事項が記載されている。
ア）「居室と共用部と管理室からなり、居室と共用部から通報手段で通報信号を発信すると、該通報信号を管理室に送って通報処理する緊急無線通報システムにおいて、各居室にはアンテナを敷設し、共用部には漏洩同軸ケーブルを敷設して居室と共用部内の無線送信機からの信号を無線受信機で処理し、インターホン系の信号処理と分離したことを特徴とする緊急無線通報システム。」（第１頁、特許請求の範囲(１)）
イ）「本発明によれば、居室と廊下等の共用部との間の仕切り壁としてシールド性能のあるSTウォール等を用い、居室内には複数のアンテナを敷設し、共用部には漏洩同軸ケーブルを敷設するので、居室と共用部の双方での重複受信をなくし、発信者の位置の特定を確実なものにすることができる。しかも、それぞれの受信エリアに応じて受信感度を設定することができ、ノイズ等により誤動作をなくすことができる。また、無線系の信号とインターホン系の信号とを分離したので、通話中であっても発報受信が可能となり、信頼性の向上を図ることができる。」（第４頁左欄第１〜１３行）
　
(３)引用文献３：登録実用新案第３０３５９３２号公報
　画像伝送による警備装置に関して、図１、２とともに、１）本考案は、コンビニエンスストア・スーパー・百貨店・銀行・郵便局・キャッシュコーナー・美術館・博物館・ビル・会社・学校・住宅等を警備する画像伝送による警備装置に関するものであること（第５頁第４〜６行）、２）防犯器からの警戒信号を受けて前記監視カメラからの現在の画像と前記警戒信号を受けた時点で前記画像記憶装置で記録中の画像とを監視センターへ電話回線を介して自動伝送する伝送装置を設けたこと（第６頁第３〜６行）、３）監視カメラを方向変更自在に設置し、同監視カメラの方向変更を行う制御装置を設け、監視センターに電話回線を介して制御装置に制御信号を出力する操作部を設けた画像伝送による警備装置であること（第６頁第１３〜１５行）、４）監視現場に予め設定された音・照明光を出力して犯人を威嚇する威嚇装置を設け、同威嚇装置を作動させる作動信号を監視センターから監視現場へ伝送可能とし、監視センターに前記作動信号を出力する操作部を設けたこと（第６頁第２４〜２６行）、５）所定条件で自動的に警戒信号を出力する防犯器としては、赤外線センサー・光センサー・圧力センサー・熱感知センサー・衝撃センサー・磁気センサー等があり、衝動・破壊・無断開放・無断侵入等の所定条件で作動すること（第８頁第１４〜１６行）が記載されており、さらに、考案の効果として、「本考案では、監視現場での事件発生時や現場の人の判断により、監視現場の現在の状況を伝える監視カメラの画像と、この監視カメラの画像が送られ始めた直前の画像となる画像記憶装置で記憶中の画像とを自動的に電話回線を介して監視センターへ伝送していくので、事件発生後に監視現場から監視センターへ通報された場合であっても画像記憶装置からの画像で事件発生時の画像を監視センターへ伝送可能となり、監視センターでは、監視現場の状況把握が警備員を派遣する事なく迅速且つ正確に行えるものとなる。このため、犯行中又は事件発生直後に警察等への通報が即座に出来、且つ迅速な対応が図れるものとなり、人命救助・事件の早期解決が図れ、警備力が向上するものとなる。又、監視現場から伝送された画像は監視センターで全て記録しているので、重要な証拠となり、事件の早期解決が図れる。本考案では、監視現場の事件発生時又は現場の人の判断によって自動的に画像が伝送されてくる監視現場だけを監視センターで集中的に監視していくので、警備力の向上が図れ、又監視センターの正確な状況把握により警備員の出動を事件発生時のみと大幅に減らすことが出来、数多くの監視現場の警備を高い警備力で確実に警備出来るものとなった。請求項３，４記載の考案では、監視現場の状況把握をより正確に且つ迅速に行う事が出来る。請求項５，６記載の考案では、犯人に対し威嚇・牽制が行え、被害を小さく抑えることが出来る。又監視現場にマイクを設け、且つ監視センターにマイクからの音データを再生する再生装置を設け、更に監視センターにマイクを設け、且つ監視現場に監視センターのマイクからの音声データを再生する第２再生装置を設けた場合では、現場の人との会話が出来、監視現場の迅速な状況把握・現場の人の安全誘導等の活動が迅速に行えるものとなる。」旨記載されている
　
(４)引用文献４：実開平５−９２８９５号公報
　「従来、・・・非常通報装置内で火災報知のための音声を合成し、この音声を電話回線を通じて予め指定した消防機関に送信することで、非常状態の発生を自動的に通報している。」旨記載されている（明細書第７頁段落０００２）。
　
(５)引用文献５：特開昭６１−２６５６９７号公報
　警報内容を音声発生器により音声で発生することが記載されている。
　
(６)引用文献６：特開平４−３６５１９８号公報
　異常内容を音声出力装置を有する記憶装置からの音声で発生することが記載されている。
　
(７)引用文献７：特開昭５９−２２１１５３号公報
　非常用通報の音声メッセージを、音声合成ＬＤＩや録音テープ再生手段などで構成することが記載されている。
　
(８)引用文献８：特開平５−６４９０号公報
　表示装置を備えた警報装置に関して、図１、２とともに、「警備不良」（異常検知器が設置されている個所の扉、窓等が開）のときは判別回路から点検表示回路に信号が送出され、該点検表示回路からの指令によって記憶手段によって記憶された異常検出器の位置を記憶した警備領域を示す地図が表示パターン作成回路に読み出され、かつ「警備不良」（扉、窓の開）を示す異常検出器の設置場所を指令し表示パターン作成回路を介して表示手段の表示部に地図で示されさらに異常発生箇所が点滅表示される、ことが記載されている（第４頁右欄第２６〜３５行）。
　
(９)引用文献９：特開昭５８−２１９６９４号公報
　表示装置を備えた警報装置について、従来から、異常表示ランプの点灯または消灯によって警備領域の異常個所を判別することが行われてきたことが記載されている（第２頁左上欄第４〜１２行）。
　
(10)引用文献10：特開昭５６−９７３８７号公報
  防災システムの動作表示方法について、従来から、警戒区画内に配設された火災報知器、防排煙器機などの防災システム器機の動作状態を表示することが行われていることが記載されている（第１頁左下欄第１５〜末行）。
　
(11)引用文献11：実開昭５６−１７２１９０号公報
  防災設備の表示装置について、従来から、地図又は窓式の表示パネルを用いたものが知られていたことが記載されている（明細書第１頁末行〜第２頁第２行）。
　
(12)引用文献12：特開平８−２８７３８３号公報
　監視カメラ連動ナースコールシステムに関して、図１〜３とともに記載されており、「通話が終了すると、主制御部１６から通話終了信号がカメラ、モニター制御データとして通信インタフェース１７から映像制御装置２０に送信され、映像制御装置２０では、そのデータをプリセット制御信号としてＩＴＶカメラ１９に送信し（ステップ４５）、ＩＴＶカメラ１９はその制御信号を受信すると、カメラの方向、角度を元の定位置に戻し、電源をオフする（ステップ３６）」旨記載されている（第３頁右欄第３〜１０行）。
　
(13)引用文献13：特開平７−８７２０９号公報
  自動応答制御方式に関して、図１〜４とともに記載されており、「最繁時における着信受付操作をスムーズに行うため、ハンドセット型の送受器の代わりにヘッドセット型の送受器を装着し、扱者が回線釦を押すなどの操作を行わなくても自動的に着信に応答し通話する方式を採る・・・。」旨記載されている（第２頁左欄第２１〜２６行）。
　
(14)引用文献14：特開平９−１１６９６１号公報
　自動応答機能付き携帯電話機に関して、図１とともに記載されており、「着信時に所有者によってあらかじめ設定された回数の着信音を受信した後、自動的にハンズフリー通話に入るような自動応答機能を有する携帯電話機」である旨記載されている（第２頁左欄第４４〜４７行）。
　
３．以下、各請求項に係る発明について検討する。
(１)請求項１に係る発明について
　上記引用文献１中の記載および図面等からみて、引用文献１に記載された発明と本件請求項１に係る発明は、「スイッチ操作部を有しこのスイッチ操作部の操作によるスイッチの閉成で緊急信号を送信する端末機（ナースコールスイッチ）と、この端末機からの緊急信号を受信する受信装置と、この受信装置に接続された一方の通話装置と、この一方の通話装置と接続される他方の通話装置を有するとともにこの他方の通話装置および前記一方の通話装置間の導通接続・開放を制御する通話制御装置と、この通話制御装置に接続され前記受信装置の緊急監視カメラ（ＴＶカメラ）と、この監視カメラからの映像を映し出すモニタテレビ（表示装置）を有するとともに前記監視カメラの作動・選択・停止を制御するカメラ制御装置と、このカメラ制御装置と前記通話制御装置とに接続されこの通話制御装置からの緊急信号の出力に基づき前記カメラ制御装置へ前記監視カメラを作動させる制御信号を出力する緊急監視装置」である点で実施的に一致すると認められる。
　一方、両者は、次の点で相違する。
（相違点１）
　本件請求項１に係る発明が、無線式であるのに対して、引用文献１記載のものは有線式である点。
（相違点２）
　一方の通話装置および他方の通話装置間の開放に基づき、通話側接続ユニットから制御信号が出力され、監視カメラの作動が停止されるのに対して、引用文献１記載のものは、通話終了後、監視者による解除ボタンの操作によって、監視カメラ（ＴＶカメラ）の作動が停止する点。
（相違点３）
　本件請求項１に係る発明が、受信装置の緊急信号の受信に基づき、一方の通話装置および他方の通話装置間を導通接続して通話可能状態にするものであるのに対して、引用文献１記載のものは、監視者側の応答スイッチの閉成によって、応答が可能となるものである点。
　なお、特許権者も、相違点が以上の３点であるとしている（平成１４年９月２０日付け特許異議意見書第９頁第１７行〜第１０頁第１７行）
　そこで、これら相違点について検討する。
　無線式の緊急通報システムは、引用文献２にもみられるように、本件特許の出願前広く知られたものであり、また、通話が終了すると監視カメラの作動が停止するものも、引用文献１２（その他、住宅のカメラ付インターフォン）にもみられるように、本件特許の出願前広く知られたものであり、さらに、扱者が釦を押すなどの操作を行うことなしに双方向の通話を可能とするシステムも、引用文献１３や引用文献１４にもみられるように、本件特許の出願前広く知られたものであるから、相違点１〜３は、当業者が容易に採択し得ることにすぎない。
  そして、本件請求項１に係る発明の効果として、本件特許の明細書の発明の詳細な説明の「発明の効果」の項中（段落０１４５〜０１４７）に挙げられている、
１）緊急事態発生時に、無線送信端末機を携帯する者は、従来のように通話装置を操作することなく、携帯する無線送信端末機のスイッチ操作部を操作すれば足り、通話装置を操作できない位置からでも、監視者等に確実に緊急事態の発生を知らせることができ、緊急監視が確実となる。
２）監視者等は、通話制御装置およびカメラ制御装置によって、一方の通話装置にて被監視者等と適宜に通話できるとともに、モニタテレビにて被監視者等の映像を見ることができるので、被監視者等の状態を映像をもって知ることができ、素早く的確な状況把握および処置ができ、緊急監視が確実となる。
３）カメラ制御装置が、監視カメラの作動・選択・停止を自動制御するため、緊急事態発生時に監視カメラを操作する必要がなくきわめて便利であり、しかも、必要な場合以外は監視カメラは停止しているため、無駄な電力消費を防止できる。
という効果は、上記各引用文献に示された公知の手段の有する構成および機能に基づき当然に奏せられることであり、当業者において容易に予測できる程度の効果であって、格別な効果であるとは到底言えない。
　特許権者は、引用文献１３および引用文献１４は、構内自動交換機および携帯電話機の分野に属するものであり引用文献１記載の「病室監視装置」とは技術分野が異なる、と主張するが、ともに通信技術（システム）であることには変わりなく、汎用可能な通信システムを周知の「病室監視装置」に適用することは当業者が容易になし得ることにすぎない。なお、火災感知警報システムなどにおいても同様の手段が周知である（特開平６−３３７９９７号公報）。
  これらを総合すれば、本件請求項１に係る発明は、上記引用文献１、２、１２〜１４に記載された発明に基づいて当業者には容易になし得る程度のものというほかなく、特許法第２９条第２項の規定により特許を受けることができないものである。
　
(２)請求項２に係る発明について
　請求項２に係る発明は、請求項１記載の構成に加えて、無線送信端末機を、スイッチ操作部の操作によるスイッチの閉成で緊急音声発生信号を受信装置に送信し、受信装置が無線送信端末機からの緊急音声発生信号を受信しこの緊急音声発生信号の受信に基づき肉声に代わる固定音声を発生させる、というものであるが、引用文献４〜７にもみられるように、警報内容を音声発生器により音声で発生させることも本件特許の出願前広く知られていることであるから、本件請求項２に係る発明についても、上記引用文献１、２、１２〜１４に記載された発明および引用文献４〜７に記載された発明に基づいて当業者には容易になし得ることというほかない。
　したがって、請求項２に係る発明も、特許法第２９条第２項の規定により特許を受けることができないものである。
　
(３)請求項３に係る発明について
　請求項３に係る発明は、請求項１（または請求項２）記載の構成に加えて、空間系センサにより空間異常を検知し監視カメラを作動させる手段を備えたものであるが、かかる手段は、引用文献３にもみられるように本件特許の出願前広く知られたことであるから、本件請求項３に係る発明についても、上記引用文献１、２、１２〜１４に記載された発明（および引用文献４〜７）並びに引用文献３に記載された発明に基づいて当業者には容易になし得る程度のことと認められる。
　したがって、請求項３に係る発明も、特許法第２９条第２項の規定により特許を受けることができないものである。
(４)請求項４に係る発明について
　請求項４に係る発明は、請求項１（または請求項２、３）記載の構成に加えて、設備系センサにより設備異常を検知し監視カメラを作動させる手段を備えたものであるが、かかる手段も、引用文献３にもみられるように本件特許の出願前広く知られたことであるから、本件請求項４に係る発明についても、上記引用文献１、２、１２〜１４に記載された発明（および引用文献４〜７）並びに引用文献３に記載された発明に基づいて当業者には容易になし得る程度のことと認められる。
　したがって、請求項４に係る発明も、特許法第２９条第２項の規定により特許を受けることができないものである。
(５)請求項５に係る発明について
　請求項５に係る発明は、請求項４記載の構成に加えて、設備の状態を設備系センサにより設備異常を検知して監視カメラを作動させる手段を備えたものであるが、かかる手段も、引用文献８〜１１にみられるように本件特許の出願前広く知られたことであるから、本件請求項５に係る発明についても、上記引用文献１〜１４に記載された発明に基づいて当業者には容易になし得る程度のことと認められる。
　したがって、請求項５に係る発明も、特許法第２９条第２項の規定により特許を受けることができないものである。
　
(６)請求項６に係る発明について
　請求項６に係る発明は、請求項５記載の構成に加えて、無線送信端末機が、スイッチ操作部の操作によるスイッチの閉成で異常緊急信号を設備用送受信装置に送信し、 設備用送受信装置が無線送信端末機からの異常緊急信号を受信しこの異常緊急信号をセンサ検知信号としてセキュリティ制御装置に送信し、セキュリティ制御装置が設備用送受信装置からのセンサ検知信号を受信し、このセンサ検知信号の受信に基づき動作するようにしたものであるが、かかる手段も、引用文献３にみられるように本件特許の出願前広く知られたことであるから、本件請求項６に係る発明についても、上記引用文献１〜１４に記載された発明に記載された発明に基づいて当業者には容易になし得る程度のことと認められる。
　したがって、請求項６に係る発明も、特許法第２９条第２項の規定により特許を受けることができないものである。
　
(７)請求項７に係る発明について
　請求項７に係る発明は、請求項３〜６記載の構成に加えて、通信回線を利用して外部に信号を送信するとともに外部からの信号を受信する外部通信ユニットを備え、セキュリティ側接続ユニットは、緊急信号の出力に基づき外部通信ユニットへ緊急警報信号を外部に送信させる制御信号を出力するようにしたものであるが、かかる手段も、引用文献３にもみられるように本件特許の出願前広く知られたことであるから、本件請求項７に係る発明についても、上記引用文献１〜１４に記載された発明に記載された発明に基づいて当業者には容易になし得る程度のことと認められる。
　したがって、請求項７に係る発明も、特許法第２９条第２項の規定により特許を受けることができないものである。
　
(８)請求項８に係る発明について
　請求項８に係る発明は、請求項７記載の構成に加えて、セキュリティ側接続ユニットがカメラ制御装置による監視カメラの作動に基づき、外部通信ユニットへ監視カメラからの映像信号を外部に送信させる制御信号を出力するようにしたものであるが、かかる手段も、引用文献３にもみられるように本件特許の出願前広く知られたことであるから、本件請求項８に係る発明についても、上記引用文献１〜１４に記載された発明に記載された発明に基づいて当業者には容易になし得る程度のことと認められる。
　したがって、請求項７に係る発明も、特許法第２９条第２項の規定により特許を受けることができないものである。
　
(９)請求項９に係る発明について
　請求項９に係る発明は、請求項７または８記載の構成に加えて、セキュリティ制御装置からの設備制御信号を受信しこの設備制御信号に基づ備を制御する設備制御用受信装置を備え、外部通信ユニットが外部からの設備制御信号を受信し、セキュリティ側接続ユニットが外部通信ユニットによる設備制御信号の受信に基づきセキュリティ制御装置へ外部通信ユニットが受信した設備制御信号を設備制御用受信装置に送信させる制御信号を出力するようにしたものであるが、かかる手段も、引用文献３にもみられるように（「威嚇装置」がそれに相当する）本件特許の出願前広く知られたことであるから、本件請求項９に係る発明についても、上記引用文献１〜１４に記載された発明に記載された発明に基づいて当業者には容易になし得る程度のことと認められる。
　したがって、請求項９に係る発明も、特許法第２９条第２項の規定により特許を受けることができないものである。
　
(10)請求項１０に係る発明について
　請求項１０に係る発明は、請求項７〜９記載の構成に加えて、外部通信ユニットが外部からの監視カメラ制御信号を受信し、セキュリティ側接続ユニットが外部通信ユニットによる監視カメラ制御信号の受信に基づきカメラ制御装置へ監視カメラ制御信号に基づき監視カメラを制御させる制御信号を出力するようにしたものであるが、かかる手段も、引用文献３にもみられるように本件特許の出願前広く知られたことであるから、本件請求項１０に係る発明についても、上記引用文献１〜１４に記載された発明に記載された発明に基づいて当業者には容易になし得る程度のことと認められる。
　したがって、請求項１０に係る発明も、特許法第２９条第２項の規定により特許を受けることができないものである。
 　
〔４〕まとめ
　以上のとおりであるから、本件請求項１〜１０に係る発明についての特許は、特許法第１１３条第２号に該当し取り消されるべきものである。
　よって、結論のとおり決定する。
【異議決定日】
平成１４年１１月１１日（２００２．１１．１１）
【訂正の要旨】
　本件訂正請求は、特許請求の範囲の請求項１中、「この一方の通話装置と接続される他方の通話装置を有するとともにこの他方の通話装置および前記一方の通話装置間の導通接続・開放を制御する通話制御装置」を、「この一方の通話装置と接続される他方の通話装置を有するとともにこの他方の通話装置および前記一方の通話装置間の導通接続・開放を制御するもので、前記受信装置の緊急信号の受信に基づき前記一方の通話装置および前記他方の通話装置間を導通接続して通話可能状態にする通話制御装置」と訂正するとともに、発明の詳細な説明の対応箇所を、特許請求の範囲の記載と整合するように訂正するものである。
（５４）【発明の名称】
緊急監視装置
（５７）【特許請求の範囲】
　【請求項１】　スイッチ操作部を有しこのスイッチ操作部の操作によるスイッチの閉成で緊急信号を送信する携帯型の無線送信端末機と、
　この無線送信端末機からの緊急信号を受信する受信装置と、
　この受信装置に接続された一方の通話装置と、
　この一方の通話装置と接続される他方の通話装置を有するとともにこの他方の通話装置および前記一方の通話装置間の導通接続・開放を制御する
もので、前記受信装置の緊急信号の受信に基づき前記一方の通話装置および前記他方の通話装置間を導通接続して通話可能状態にする
　この通話制御装置に接続され前記受信装置の緊急信号の受信に基づき発生する緊急信号の出力により緊急警報を発生する警報器と、
　監視カメラと、
　この監視カメラからの映像を映し出すモニタテレビを有するとともに前記監視カメラの作動・選択・停止を制御するカメラ制御装置と、
　このカメラ制御装置と前記通話制御装置とに接続されこの通話制御装置からの緊急信号の出力に基づき前記カメラ制御装置へ前記監視カメラを作動させる制御信号を出力するとともに前記通話制御装置による前記一方の通話装置および前記他方の通話装置間の開放に基づき前記カメラ制御装置へ前記監視カメラの作動を停止させる制御信号を出力する通話側接続ユニットと
　を具備したことを特徴とする緊急監視装置。
　【請求項２】　無線送信端末機は、スイッチ操作部の操作によるスイッチの閉成で緊急音声発生信号を受信装置に送信し、
　この受信装置は、前記無線送信端末機からの緊急音声発生信号を受信しこの緊急音声発生信号の受信に基づき肉声に代わる固定音声を発生させる
　ことを特徴とする請求項１記載の緊急監視装置。
　【請求項３】　空間異常を検知しこの空間異常の検知に基づきセンサ検知信号を送信する空間系センサと、
　この空間系センサからのセンサ検知信号を受信しこのセンサ検知信号の受信に基づき動作するセキュリティ制御装置と、
　このセキュリティ制御装置に接続されこのセキュリティ制御装置のセンサ検知信号の受信に基づき発生する緊急信号の出力により緊急警報を発生する警報器と、
　前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットと
　を備えた
　ことを特徴とする請求項１または２記載の緊急監視装置。
　【請求項４】　設備の異常を検知しこの設備異常の検知に基づきセンサ検知信号を送信する設備系センサと、
　この設備系センサからのセンサ検知信号を受信しこのセンサ検知信号の受信に基づき動作するセキュリティ制御装置と、
　このセキュリティ制御装置に接続されこのセキュリティ制御装置のセンサ検知信号の受信に基づき発生する緊急信号の出力により緊急警報を発生する警報器と、
　前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットと
　を備えた
　ことを特徴とする請求項１ないし３のいずれかに記載の緊急監視装置。
　【請求項５】　設備系センサに接続された設備用送受信装置を備え、
　設備系センサは、設備の状態を検知しこの検知に基づき設備状態表示信号を前記設備用送受信装置に出力し、
　セキュリティ制御装置は、設備の状態を表示する表示器を有するとともに前記設備系センサからの設備状態表示信号を受信しこの設備状態表示信号の受信に基づき設備が正常状態か異常状態かを前記表示器にて表示する
　ことを特徴とする請求項４記載の緊急監視装置。
　【請求項６】　無線送信端末機は、スイッチ操作部の操作によるスイッチの閉成で異常緊急信号を設備用送受信装置に送信し、
　設備用送受信装置は、前記無線送信端末機からの異常緊急信号を受信しこの異常緊急信号をセンサ検知信号としてセキュリティ制御装置に送信し、
　セキュリティ制御装置は、前記設備用送受信装置からのセンサ検知信号を受信しこのセンサ検知信号の受信に基づき動作する
　ことを特徴とする請求項５記載の緊急監視装置。
　【請求項７】　通信回線を利用して外部に信号を送信するとともに外部からの信号を受信する外部通信ユニットを備え、
　セキュリティ側接続ユニットは、緊急信号の出力に基づき前記外部通信ユニットへ緊急警報信号を外部に送信させる制御信号を出力する
　ことを特徴とする請求項３ないし６のいずれかに記載の緊急監視装置。
　【請求項８】　セキュリティ側接続ユニットは、カメラ制御装置による監視カメラの作動に基づき外部通信ユニットへ前記監視カメラからの映像信号を外部に送信させる制御信号を出力する
　ことを特徴とする請求項７記載の緊急監視装置。
　【請求項９】　セキュリティ制御装置からの設備制御信号を受信しこの設備制御信号に基づき設備を制御する設備制御用受信装置を備え、
　外部通信ユニットは、外部からの設備制御信号を受信し、
　セキュリティ側接続ユニットは、前記外部通信ユニットによる設備制御信号の受信に基づき前記セキュリティ制御装置へ前記外部通信ユニットが受信した設備制御信号を前記設備制御用受信装置に送信させる制御信号を出力する
　ことを特徴とする請求項７または８記載の緊急監視装置。
　【請求項１０】　外部通信ユニットは、外部からの監視カメラ制御信号を受信し、
　セキュリティ側接続ユニットは、前記外部通信ユニットによる監視カメラ制御信号の受信に基づき前記カメラ制御装置へ監視カメラ制御信号に基づき監視カメラを制御させる制御信号を出力する
　ことを特徴とする請求項７ないし９のいずれかに記載の緊急監視装置。
【発明の詳細な説明】
　【０００１】
　【発明の属する技術分野】
　本発明は、緊急事態が発生した場合に、監視者等にその緊急事態発生を報知する緊急監視装置に関する。
　【０００２】
　【従来の技術】
　従来、例えば病院、銀行、商店、交通施設、工場、倉庫、現金輸送車等において、部外者、不審者等の侵入、および、扉、ドア、金庫等の施錠解除等の空間、設備異常に対する緊急監視は、空間異常等その他の緊急事態発生時に、空間系センサ、設備系センサ等から送信されるセンサ検知信号に基づき、緊急ベルが作動し或いは警報灯が点灯して、監視者等にその緊急事態発生が報知されたり、必要に応じて同時に、外部の警備機関等に電話回線を介して緊急事態発生が音声、ランプの点灯等にて報知され、そして、その緊急事態の状況に応じた適宜な処置が施されていた。
　【０００３】
　一方、従来、例えば、病院等における入院者等の被監視者の急病等に対する緊急監視は、急病等その他の緊急事態発生時に、その被監視者が各病室ごとに設置された手の届くところに位置する被監視側インターホンのボタン操作部を操作することで、ナース室内の緊急ベルが鳴り或いは警報灯が点灯し、看護婦等の監視者に緊急事態発生が報知され、そして、この被監視側インターホンとナース室に設置された監視側インターホンとが導通接続されることにより、監視者が被監視者の状態をインターホンからの音声にて状況把握して、この監視者によってこの被監視者に適宜な処置が施されていた。
　【０００４】
　【発明が解決しようとする課題】
　しかしながら、上記従来のように、空間、設備異常その他の異常発生時である緊急事態発生時に、空間系センサ、設備系センサ等がセンサ検知信号を送信することにより、緊急ベルが鳴り或いは警報灯が点灯等して、監視者等にその緊急事態発生がその音声等にて報知されるのみでは、監視者等にとってその緊急事態に関する的確な状況把握が困難な場合もあり、緊急監視が確実にできない問題がある。そこで、例えば監視カメラを設置することも考えられるが、この構成では、緊急事態発生時に監視カメラを操作しなければならず、操作性が悪く迅速に対応できないばかりでなく、また、常時、監視カメラを作動させておく構成では、無駄に電力が消費されることとなる。
　【０００５】
　また、空間系センサ、または設備系センサが検知不可能な異常が発生した場合には対応できず、例えば、誰かがその異常発生に気付いた場合でも、その場で瞬時に緊急事態の発生を報知できず、緊急監視が確実にできない問題もある。
　【０００６】
　一方、上記従来のように、病院等において急病等その他の緊急事態発生時に被監視者が手の届くところに位置する被監視側インターホンのボタン操作部を操作することにより、監視者等に緊急事態発生を知らせる構成では、被監視者が被監視側インターホンのボタン操作部を操作できない位置で倒れて動けなくなった場合等に、監視者等に緊急事態発生を知らせることができないため、緊急監視体制が十分に行き届いているとはいえず、緊急監視が確実にできない問題を有している。
　【０００７】
　また、監視者が被監視者の状態をインターホンからの音声にて状況把握するのみでは、被監視者を直接監視することができないため、的確な状況把握が困難な場合もあり、緊急監視が確実にできない問題もある。そこで、各病室ごとに監視カメラを設置することも考えられるが、緊急事態発生時に監視カメラを操作、すなわち電源オンして作動させたり、監視カメラを選択する必要があり、これらの操作を監視者が自ら手動で素早く行うのは困難であり操作性が悪い問題を有している。なお、常時、監視カメラを作動させるようにすると、無駄に電力が消費されることとなる。
　【０００８】
　さらに、急病の被監視者は、声を出せない状態に陥っている場合には、監視者に自己の状態を全く知らせることができなかった。
　【０００９】
　本発明は、このような点に鑑みなされたもので、緊急監視を確実とし、しかも、無駄な電力消費を防止する緊急監視装置を提供することを目的とする。
　【００１０】
　【課題を解決するための手段】
　請求項１記載の緊急監視装置は、スイッチ操作部を有しこのスイッチ操作部の操作によるスイッチの閉成で緊急信号を送信する携帯型の無線送信端末機と、この無線送信端末機からの緊急信号を受信する受信装置と、この受信装置に接続された一方の通話装置と、この一方の通話装置と接続される他方の通話装置を有するとともにこの他方の通話装置および前記一方の通話装置間の導通接続・開放を制御する
もので、前記受信装置の緊急信号の受信に基づき前記一方の通話装置および前記他方の通話装置間を導通接続して通話可能状態にする
　【００１１】
　無線送信端末機を携帯する者が、無線送信端末機のスイッチ操作部を操作すると、この無線送信端末機から緊急信号が送信される。この緊急信号を受信装置が受信すると、この受信装置の緊急信号の受信に基づき、通話制御装置に接続された警報器が緊急警報を発生する。
　【００１２】
　そして、通話制御装置の制御によって、一方の通話装置および他方の通話装置間が自動的に導通接続される。
　【００１３】
　一方、通話制御装置からの緊急信号の出力に基づき、通話側接続ユニットからカメラ制御装置へ監視カメラを作動させる制御信号が出力され、カメラ制御装置の制御によって、監視カメラが自動的に作動し必要に応じて選択される。そして、適宜な監視カメラからの映像がモニタテレビに映し出される。
　【００１４】
　また、通話終了後においては、通話制御装置による一方の通話装置および他方の通話装置間の開放に基づき、通話側接続ユニットからカメラ制御装置へ監視カメラの作動を停止させる制御信号が出力され、カメラ制御装置の制御によって、作動中の監視カメラが自動的に停止する。
　【００１５】
　請求項２記載の緊急監視装置は、請求項１記載の緊急監視装置において、無線送信端末機は、スイッチ操作部の操作によるスイッチの閉成で緊急音声発生信号を受信装置に送信し、この受信装置は、前記無線送信端末機からの緊急音声発生信号を受信しこの緊急音声発生信号の受信に基づき肉声に代わる固定音声を発生させるものである。
　【００１６】
　無線送信端末機を携帯する者が、無線送信端末機のスイッチ操作部を操作すると、この無線送信端末機から緊急音声発生信号が送信される。この緊急音声発生信号を受信装置が受信すると、この受信装置の緊急音声発生信号の受信に基づき、この受信装置から肉声に代わる固定音声が発生する。
　【００１７】
　請求項３記載の緊急監視装置は、請求項１または２記載の緊急監視装置において、空間異常を検知しこの空間異常の検知に基づきセンサ検知信号を送信する空間系センサと、この空間系センサからのセンサ検知信号を受信しこのセンサ検知信号の受信に基づき動作するセキュリティ制御装置と、このセキュリティ制御装置に接続されこのセキュリティ制御装置のセンサ検知信号の受信に基づき発生する緊急信号の出力により緊急警報を発生する警報器と、前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットとを備えたものである。
　【００１８】
　空間異常が発生、例えば、部外者の侵入、徘徊者の外出、火災による温度の上昇、ガス漏れ等が発生した場合には、空間系センサがこの空間異常を検知し、この空間系センサからセンサ検知信号が送信される。このセンサ検知信号を、セキュリティ制御装置が受信すると、このセキュリティ制御装置は動作し、このセキュリティ制御装置に接続された警報器が緊急警報を発生する。
　【００１９】
　一方、セキュリティ制御装置からの緊急信号の出力に基づき、セキュリティ側接続ユニットからカメラ制御装置へ監視カメラを作動させる制御信号が出力され、カメラ制御装置の制御によって、監視カメラが自動的に作動し必要に応じて選択され、適宜な監視カメラからの映像がモニタテレビに映し出される。
　【００２０】
　請求項４記載の緊急監視装置は、請求項１ないし３のいずれかに記載の緊急監視装置において、設備の異常を検知しこの設備異常の検知に基づきセンサ検知信号を送信する設備系センサと、この設備系センサからのセンサ検知信号を受信しこのセンサ検知信号の受信に基づき動作するセキュリティ制御装置と、このセキュリティ制御装置に接続されこのセキュリティ制御装置のセンサ検知信号の受信に基づき発生する緊急信号の出力により緊急警報を発生する警報器と、前記セキュリティ制御装置とカメラ制御装置とに接続されこのセキュリティ制御装置からの緊急信号の出力に基づき前記カメラ制御装置へ監視カメラを作動させる制御信号を出力するセキュリティ側接続ユニットとを備えたものである。
　【００２１】
　設備異常が発生、例えば、扉・ドアの施錠解錠、金庫の施錠解錠、扉・ドアの開閉、金庫の蓋の開閉等が発生した場合には、設備系センサがこの設備異常を検知し、この設備系センサからセンサ検知信号が送信される。このセンサ検知信号を、セキュリティ制御装置が受信すると、このセキュリティ制御装置は動作し、このセキュリティ制御装置に接続された警報器が緊急警報を発生する。
　【００２２】
　一方、セキュリティ制御装置からの緊急信号の出力に基づき、セキュリティ側接続ユニットからカメラ制御装置へ監視カメラを作動させる制御信号が出力され、カメラ制御装置の制御によって、監視カメラが自動的に作動し必要に応じて選択され、適宜な監視カメラからの映像がモニタテレビに映し出される。
　【００２３】
　請求項５記載の緊急監視装置は、請求項４記載の緊急監視装置において、設備系センサに接続された設備用送受信装置を備え、設備系センサは、設備の状態を検知しこの検知に基づき設備状態表示信号を前記設備用送受信装置に出力し、セキュリティ制御装置は、設備の状態を表示する表示器を有するとともに前記設備系センサからの設備状態表示信号を受信しこの設備状態表示信号の受信に基づき設備が正常状態か異常状態かを前記表示器にて表示するものである。
　【００２４】
　設備系センサが、設備の状態を検知し設備状態表示信号を設備用送受信装置に出力すると、この設備状態表示信号を、セキュリティ制御装置が設備用送受信装置を経て受信する。そして、このセキュリティ制御装置は、設備状態表示信号の受信に基づき、設備が正常状態にあるか、或いは異常状態にあるかを表示器にて表示する。
　【００２５】
　請求項６記載の緊急監視装置は、請求項５記載の緊急監視装置において、無線送信端末機は、スイッチ操作部の操作によるスイッチの閉成で異常緊急信号を設備用送受信装置に送信し、設備用送受信装置は、前記無線送信端末機からの異常緊急信号を受信しこの異常緊急信号をセンサ検知信号としてセキュリティ制御装置に送信し、セキュリティ制御装置は、前記設備用送受信装置からのセンサ検知信号を受信しこのセンサ検知信号の受信に基づき動作するものである。
　【００２６】
　無線送信端末機を携帯する者が、空間異常、設備異常等に気付いた場合に、携帯する無線送信端末機のスイッチ操作部を操作すると、この無線送信端末機から異常緊急信号が設備用送受信装置に送信される。この異常緊急信号を設備用送受信装置が受信すると、この設備用送受信装置はこの異常緊急信号をセンサ検知信号としてセキュリティ制御装置に送信する。そして、このセンサ検知信号をセキュリティ制御装置が受信すると、セキュリティ制御装置に接続された警報器は、センサ検知信号の受信に基づき発生する緊急信号の出力により緊急警報を発生する。
　【００２７】
　一方、セキュリティ制御装置からの緊急信号の出力に基づき、セキュリティ側接続ユニットからカメラ制御装置へ監視カメラを作動させる制御信号が出力され、カメラ制御装置の制御によって、監視カメラが自動的に作動し必要に応じて選択され、適宜な監視カメラからの映像がモニタテレビに映し出される。
　【００２８】
　請求項７記載の緊急監視装置は、請求項３ないし６のいずれかに記載の緊急監視装置において、通信回線を利用して外部に信号を送信するとともに外部からの信号を受信する外部通信ユニットを備え、セキュリティ側接続ユニットは、緊急信号の出力に基づき前記外部通信ユニットへ緊急警報信号を外部に送信させる制御信号を出力するものである。
　【００２９】
　セキュリティ側接続ユニットが、外部通信ユニットへ緊急警報信号を外部に送信させる制御信号を出力し、外部通信ユニットから緊急警報信号が通信回線を通って外部の警備機関等に自動的に送信される。
　【００３０】
　請求項８記載の緊急監視装置は、請求項７記載の緊急監視装置において、セキュリティ側接続ユニットは、カメラ制御装置による監視カメラの作動に基づき外部通信ユニットへ前記監視カメラからの映像信号を外部に送信させる制御信号を出力するものである。
　【００３１】
　セキュリティ側接続ユニットが、カメラ制御装置による監視カメラの作動に基づき、外部通信ユニットへ監視カメラからの映像信号を外部に送信させる制御信号を出力し、外部通信ユニットから映像信号が通信回線を通って外部の警備機関等に自動的に送信される。
　【００３２】
　請求項９記載の緊急監視装置は、請求項７または８記載の緊急監視装置において、セキュリティ制御装置からの設備制御信号を受信しこの設備制御信号に基づき設備を制御する設備制御用受信装置を備え、外部通信ユニットは、外部からの設備制御信号を受信し、セキュリティ側接続ユニットは、前記外部通信ユニットによる設備制御信号の受信に基づき前記セキュリティ制御装置へ前記外部通信ユニットが受信した設備制御信号を前記設備制御用受信装置に送信させる制御信号を出力するものである。
　【００３３】
　外部通信ユニットが外部からの設備制御信号を受信した場合には、この受信に基づき、セキュリティ側接続ユニットが、セキュリティ制御装置へ設備制御信号を設備制御用受信装置に送信させる制御信号を出力し、この設備制御信号がセキュリティ制御装置から設備制御用受信装置に自動的に送信され、この設備制御用受信装置にて設備が制御される。
　【００３４】
　請求項１０記載の緊急監視装置は、請求項７ないし９のいずれかに記載の緊急監視装置において、外部通信ユニットは、外部からの監視カメラ制御信号を受信し、セキュリティ側接続ユニットは、前記外部通信ユニットによる監視カメラ制御信号の受信に基づき前記カメラ制御装置へ監視カメラ制御信号に基づき監視カメラを制御させる制御信号を出力するものである。
　【００３５】
　外部通信ユニットが外部からの監視カメラ制御信号を受信した場合には、この受信に基づき、セキュリティ側接続ユニットが、カメラ制御装置へ監視カメラ制御信号に基づき監視カメラを制御させる制御信号を出力するため、カメラ制御装置にて監視カメラが制御される。
　【００３６】
　【発明の実施の形態】
　以下、本発明の緊急監視装置の一実施の形態の構成を図１および図２を参照して説明する。
　【００３７】
　図１は、本発明の緊急監視装置の一実施の形態を示すブロック図であり、図２は、その緊急監視装置を示す説明図である。
　【００３８】
　図２において、１は例えば病院の施設であり、Ａはこの施設１の被監視者、例えば入院者であり、かつ、Ｂはこの施設１の監視者、例えば看護婦、医師等である。
　【００３９】
　そして、被監視者Ａは、例えばペンダント形等の容易に携帯できる小形で携帯型の無線送信端末機２を携帯している。
　【００４０】
　この無線送信端末機２には、図１に示すように、ボタン等のスイッチキーを有するスイッチ操作部３が設けられ、このスイッチ操作部３の操作によるスイッチの閉成で信号を送信する。
　【００４１】
　この無線送信端末機２から送信される信号としては、スイッチ操作部３の選択操作に基づき、例えば緊急信号、緊急音声発生信号および異常緊急信号の３種類の信号がある。
　【００４２】
　例えば、無線送信端末機２のスイッチ操作部３に複数のスイッチキーが設けられ、このスイッチ操作部３の適宜のスイッチキーを単独で操作するか、またはこのスイッチ操作部３の適宜のスイッチキーを複数組み合わせて操作するかで、それぞれ異なる信号が送信され、或いは、無線送信端末機２のスイッチ操作部３に１つのボタン式のスイッチキーが設けられ、この１つのスイッチキーの押圧操作の回数でそれぞれ異なる信号が送信されるようになっている。
　【００４３】
　なお、特別な被監視者Ａに携帯させる無線送信端末機２からは、常時または一時的に特別追跡信号が、自動的に送信されるようになっている。
　【００４４】
　また、図２に示すように、施設１内の各単位監視区域Ｘごと、例えば各病室ごと、或いは比較的広い病室では互いに所定距離ごとに、受信装置４が設置されている。
　【００４５】
　この各受信装置４は、単位監視区域Ｘ内で送信された前記無線送信端末機２からの緊急信号、緊急音声発生信号、特別追跡信号を受信する。
　【００４６】
　すなわち、この各受信装置４と前記無線送信端末機２との間においては、例えば３０ｍ以内で無線通信可能な所定の電界強度の許容値を満たす微弱電波を利用して信号が送受信されるようになっており、ある単位監視区域Ｘ１内で無線送信端末機２から緊急信号等が送信された際には、その単位監視区域Ｘ１内に位置する受信装置４が、その緊急信号情報、緊急音声発生信号情報、特別追跡信号情報が乗った電波を受けて、その緊急信号等を受信する。
　【００４７】
　さらに、この各受信装置４は、前記無線送信端末機２からの緊急音声発生信号を受信した場合には、この緊急音声発生信号の受信に基づき、肉声に代わる固定音声を発生させる緊急音声発生装置５を有している。すなわち、この緊急音声発生装置５は、緊急音声発生信号の選択操作に基づき、被監視者Ａの状態を表現する固定音声を発生するようになっている。
　【００４８】
　また、この各受信装置４には、一方の通話装置としての被監視側インターホン７がそれぞれ接続され、この各被監視側インターホン７は、図２に示すように、各受信装置４の近くにそれぞれ設置されている。この各被監視側インターホン７はボタンスイッチ操作部８を有し、このボタンスイッチ操作部８の操作により、この各被監視側インターホン７のスイッチが開閉する。
　【００４９】
　さらに、この各被監視側インターホン７には、通話制御装置１１が接続されており、この通話制御装置１１は、図２に示すように、例えば監視者Ｂが常時待機している監視室１２に設置されている。
　【００５０】
　また、この通話制御装置１１は、緊急事態発生時に、前記各被監視側インターホン７と導通接続される他方の通話装置としての監視側インターホン１３を有している。
　【００５１】
　さらに、この通話制御装置１１には、前記受信装置４の緊急信号の受信に基づき、この受信装置４に接続された被監視側インターホン７のスイッチが閉成して、このスイッチの閉成により、緊急警報を発生する警報器１５が接続されている。この警報器１５は、例えば、警報音を鳴らすベル、警報灯を点灯させるランプである。
　【００５２】
　また、図２に示すように、前記施設１の各単位監視特別区域Ｙごと、例えば廊下、階段等で互いに所定距離おいて、カメラ用送受信装置１７が設置されている。この各カメラ用送受信装置１７は、単位監視特別区域Ｙ内で送信された前記無線送信端末機２からの緊急信号および特別追跡信号を受信する。
　【００５３】
　すなわち、この各カメラ用送受信装置１７と前記無線送信端末機２との間においても、前記各受信装置４と前記無線送信端末機２と間と同様に、例えば微弱電波を利用して信号が送受信されるようになっており、ある単位監視特別区域Ｙ１内で無線送信端末機２から緊急信号等が送信された際には、その単位監視特別区域Ｙ１内に位置するカメラ用送受信装置１７が、その緊急信号情報、特別追跡信号情報が乗った電波を受けて、その緊急信号等を受信する。
　【００５４】
　さらに、この各カメラ用送受信装置１７は、緊急信号等を受信すると、この緊急信号をカメラ制御信号として後述のカメラ制御装置２１に送信する。
　【００５５】
　また、図２に示すように、前記施設１内に互いに距離をおいて、この施設１内を監視する監視カメラ１９が複数設置されている。これら監視カメラ１９は、例えば、各病室、廊下、階段、施設１の出入口の近く等に設置され、特に、前記受信装置４、前記カメラ用送受信装置１７等に対応して配設されている。
　【００５６】
　この各監視カメラ１９は、赤外線、昼光色等の投光器を設備し、通常の照明が減灯状態の夜間等でも映像をとることができる。
　【００５７】
　そして、この各監視カメラ１９の作動・選択・停止等は、カメラ制御装置２１により自動的に制御される。このカメラ制御装置２１は、前記監視室１２に設置されており、前記各監視カメラ１９からの映像を映し出すモニタテレビ２２を有し、その映像を監視者Ｂが見ることができるようになっている。なお、このカメラ制御装置２１と前記各監視カメラ１９との間の信号の送受信は、有線通信或いは無線通信にて行われる。また、このカメラ制御装置２１には、緊急警報を発生する警報器２３が接続されている。
　【００５８】
　また、このカメラ制御装置２１は、前記カメラ用送受信装置１７からのカメラ制御信号を受信しこのカメラ制御信号に基づき監視カメラ１９を作動させる。なお、このカメラ制御装置２１とカメラ用送受信装置１７との間においては、例えば１５０ｍ以内で無線通信可能な出力１０ｍＷ程度の小電力電波を利用して信号が送受信されるようになっている。
　【００５９】
　さらに、このカメラ制御装置２１と前記通話制御装置１１とには、通話側接続ユニット２５が接続され、この通話側接続ユニット２５は、カメラ制御装置２１と通話制御装置１１間の情報、制御信号等を共有するもので、例えば、通話制御装置１１からの緊急信号の出力に基づきカメラ制御装置２１へ監視カメラ１９を作動させる制御信号を出力するとともに、通話制御装置１１による前記被監視側インターホン７および前記監視側インターホン１３間の開放に基づきカメラ制御装置２１へ監視カメラ１９の作動を停止させる制御信号を出力する。また、この通話側接続ユニット２５は、後述の外部通信ユニット４５へ情報、制御信号等を送出できるようになっている。
　【００６０】
　また、図２に示すように、前記施設１内の例えば出入口の近くには、施設１内の空間異常を検知し、この施設１内の空間異常の検知に基づきセンサ検知信号を、無線で送信するセンサとしての空間系センサ２８が設置されている。
　【００６１】
　この空間系センサ２８は、例えば特定条件設定した指定者以外の者の出入りを空間異常として検知するもので、金属携帯、犬、猫等を判断でき、また、徘徊者であるか、部外者であるかの区別は、例えば、徘徊者の携帯する前記無線送信端末機２を検知して判断したり、或いは、徘徊者の携帯する無線送信端末機２からの特別追跡信号を受信してこの信号に基づき判断する。
　【００６２】
　そして、この空間系センサ２８から送信されたセンサ検知信号は、前記監視室１２に設置されたセキュリティ制御装置３１にて受信される。このセキュリティ制御装置３１は、センサ検知信号の受信にて動作する。また、このセキュリティ制御装置３１には、センサ検知信号の受信に基づき、緊急警報を発生する警報器３３が接続されている。この警報器３３は、例えば、警報音を鳴らすベル、警報灯を点灯させるランプである。
　【００６３】
　さらに、このセキュリティ制御装置３１と前記カメラ制御装置２１とには、セキュリティ側接続ユニット３５が接続され、このセキュリティ側接続ユニット３５は、セキュリティ制御装置３１とカメラ制御装置２１間の情報、制御信号を共有するもので、例えばセキュリティ制御装置３１からの緊急信号の出力に基づきカメラ制御装置２１へ監視カメラ１９を作動させる制御信号を出力する。
　【００６４】
　また、このセキュリティ側接続ユニット３５は、後述の外部通信ユニット４５へ情報、制御信号等を送出できるようになっている。例えば、セキュリティ側接続ユニット３５は、緊急信号の出力に基づき外部通信ユニット４５へ緊急警報信号を外部４４に送信させる制御信号を出力し、或いは、監視カメラ１９の作動に基づき外部通信ユニット４５へその監視カメラ１９からの映像信号を外部４４に送信させる制御信号を出力する。
　【００６５】
　また、図２に示すように、前記施設１内に設けられた設備３７、例えば門扉には、センサとしての設備系センサ３８が接続され、この設備系センサ３８は、この設備３７の異常を検知しこの設備３７の異常の検知に基づきセンサ検知信号を出力する。
　【００６６】
　そして、この設備系センサ３８から出力されたセンサ検知信号は、この設備系センサ３８に接続された設備用送受信装置４０に入力される。
　【００６７】
　さらに、この設備用送受信装置４０は、設備系センサ３８からのセンサ検知信号の入力に基づき、センサ検知信号を前記セキュリティ制御装置３１に無線で送信する。
　【００６８】
　また、この設備系センサ３８は、必要に応じて、設備３７の状態を検知しこの設備状態表示信号を前記設備用送受信装置４０に出力する。
　【００６９】
　そして、この設備系センサ３８から出力された設備状態表示信号は、設備用送受信装置４０に入力され、この設備用送受信装置４０は、設備系センサ３８からの設備状態表示信号の入力に基づき、設備状態表示信号を前記セキュリティ制御装置３１に無線で送信する。
　【００７０】
　この設備状態表示信号を受信する前記セキュリティ制御装置３１は、設備３７の状態を表示する表示器４２を有しており、このセキュリティ制御装置３１は、前記設備系センサ３８からの設備状態表示信号を受信すると、この設備状態表示信号の受信に基づき、設備３７が正常状態か異常状態かをその表示器４２にて表示する。
　【００７１】
　さらに、前記設備用送受信装置４０は、前記無線送信端末機２から無線で送信された異常緊急信号を受信し、この異常緊急信号をセンサ検知信号として、前記セキュリティ制御装置３１に無線で送信する。すなわち、無線送信端末機２および設備用送受信装置４０にて、人的操作に基づき異常の発生を検知してこの異常の検知に基づきセンサ検知信号するセンサが構成されている。
　【００７２】
　一方、前記施設１内に設けられた設備３７には、セキュリティ制御装置３１からの設備制御信号を受信し、この設備制御信号に基づき設備３７を制御する設備制御用受信装置４３が接続されている。
　【００７３】
　また、前記通話側接続ユニット２５と前記セキュリティ側接続ユニット３５とには、外部通信ユニット４５が接続されている。この外部通信ユニット４５は電話回線等の通信回線を利用して施設の外部４４、例えば警備機関に信号を送信したり、或いは通信回線を利用した施設１の外部４４からの制御信号を受信したりする。
　【００７４】
　なお、前記無線送信端末機２は、必要に応じて、各々が固有の識別符号を有しており、無線送信端末機２から緊急信号、緊急音声発生信号、異常緊急信号および特別追跡信号が送信される際には、この識別符号に基づくＩＤ信号も送信される。
　【００７５】
　そして、このＩＤ信号が、前記受信装置４、前記カメラ用送受信装置１７、前記設備用送受信装置４０にて受信されると、これら受信装置４等にて、このＩＤ信号には場所コード信号が付加される。この場所コード信号が付加されたＩＤ信号が前記カメラ制御装置２１等に伝送されると、このカメラ制御装置２１等にて解析処理させる。その解析処理の結果、例えば、無線送信端末機２から送信された信号を受信した受信装置４等に対応した、適宜な監視カメラ１９からの映像、すなわち、緊急事態等にある被監視者Ａ、空間、設備３７等の映像がモニタテレビ２２に、確実に映し出されるようになっている。
　【００７６】
　次に、上記一実施の形態の動作を図３ないし図６を参照して説明する。
　【００７７】
　まず、図３のフローチャートに基づいて、通話制御装置１１、カメラ制御装置２１、通話側接続ユニット２５等の緊急事態発生時の動作について説明する。
　【００７８】
　施設１内の単位監視区域Ｘ内において、無線送信端末機２を携帯する被監視者Ａが、急に具合が悪くなった場合等に、その被監視者Ａが無線送信端末機２のスイッチ操作部３を適宜に操作すると（ステップ１）、この無線送信端末機２から緊急信号が送信される（ステップ２）。
　【００７９】
　すなわち、その被監視者Ａは、例えば、無線送信端末機２のスイッチ操作部３に複数設けられた適宜のスイッチキー等を単独で操作して、緊急信号を送信する。
　【００８０】
　この緊急信号は、その緊急事態が発生した単位監視区域Ｘ内の受信装置４にて受信される（ステップ３）。
　【００８１】
　この受信装置４による緊急信号の受信に基づき、この受信装置４に接続された被監視側インターホン７のスイッチが閉塞し（ステップ４）、このスイッチの閉塞に基づき、通話制御装置１１に接続された警報器１５が緊急警報を発生する（ステップ５）。
　【００８２】
　そして、被監視者Ａが何らその受信装置４に接続された被監視側インターホン７のボタンスイッチ操作部８を操作することなく、通話制御装置１１の制御によって、開放状態にあった被監視側インターホン７および監視側インターホン１３間が自動的に導通接続され（ステップ６）、被監視者Ａと監視者Ｂ間で通話可能状態になる（ステップ７）。
　【００８３】
　この状態において、被監視者Ａは声を出せる場合には肉声で監視者Ｂと通話する（ステップ８）。
　【００８４】
　また、被監視者Ａは苦しくて声が出せず肉声で通話できない場合には、携帯する無線送信端末機２のスイッチ操作部３を適宜に操作して、例えば無線送信端末機２のスイッチ操作部３に複数設けられた適宜のスイッチキー等を複数組合わせて操作して、緊急音声発生信号を送信する（ステップ９）。
　【００８５】
　この緊急音声発生信号を受信装置４が受信すると、この受信装置４から肉声に代わる固定音声が発生する（ステップ１０）。そこで、監視者Ｂがこの固定音声を監視側インターホン１３を介して聞くこととなる。
　【００８６】
　一方、前記通話制御装置１１からの緊急信号の出力に基づき、通話側接続ユニット２５からカメラ制御装置２１へ、監視カメラ１９を作動させる制御信号が出力される（ステップ１１）。
　【００８７】
　その結果、カメラ制御装置２１の制御によって、停止中の監視カメラ１９の電源がオンとなり（ステップ１２）、監視カメラ１９が自動的に作動し選択される（ステップ１３）。そして、適宜な監視カメラ１９からの映像、すなわち緊急事態にある被監視者Ａの映像がモニタテレビ２２に映し出される（ステップ１４）。
　【００８８】
　したがって、監視者Ａは、通話制御装置１１およびカメラ制御装置２１の連動によって、監視側インターホン１３にて、被監視者Ａと適宜に通話できるとともに、モニタテレビ２２にて被監視者Ａの映像を見ることができる。
　【００８９】
　通話終了後においては、通話制御装置１１による監視側インターホン１３および被監視側インターホン７間の開放（ステップ１５）に基づき、通話側接続ユニット２５からカメラ制御装置２１へ監視カメラ１９の作動を停止させる制御信号が出力される（ステップ１６）。その結果、カメラ制御装置２１の制御によって、作動中の監視カメラ１９の電源がオフとなり（ステップ１７）、作動中の監視カメラ１９が自動的に停止する。
　【００９０】
　なお、緊急事態にある被監視者Ａは、手の届くところに位置する被監視側インターホン７のボタンスイッチ操作部８を押圧操作することにより（ステップ１８）、被監視側インターホン７のスイッチを閉塞させ（ステップ４）、警報器１５から緊急警報を発生させることもできる（ステップ５）。
　【００９１】
　また、監視者Ｂは、必要に応じて監視カメラ１９の電源をオンとし（ステップ１２）、監視カメラ１９を選択して（ステップ１３）、適宜な監視カメラ１９からの映像をモニタテレビ２２に映し出すことができる（ステップ１４）。
　【００９２】
　例えば、監視者Ｂは、特別な被監視者Ａが携帯する無線送信端末機２から特別追跡信号が発信されている場合には、この特別追跡信号に基づくカメラ制御装置２１の制御によって、この特別追跡信号を受信した受信装置４等に対応した適宜の監視カメラ１９が選択されるため、必要に応じて瞬時に、被監視者Ａの映像をモニタテレビ２２に映し出すことができ、よって、この被監視者Ａを追跡できる。
　【００９３】
　一方、施設１内の単位監視特別区域Ｙ内において、無線送信端末機２を携帯する被監視者Ａが、急に具合が悪くなった場合等に、その被監視者Ａが、無線送信端末機２のスイッチ操作部３を適宜に操作すると（ステップ１９）、この無線送信端末機２から緊急信号が送信される（ステップ２０）。
　【００９４】
　この緊急信号は、その緊急事態が発生した単位監視特別区域Ｙ内のカメラ用送受信装置１７にて受信される（ステップ２１）。この緊急信号を受信したカメラ用送受信装置１７は、緊急信号をカメラ制御信号としてカメラ制御装置２１に送信する（ステップ２２）。
　【００９５】
　そして、このカメラ制御信号をカメラ制御装置２１が受信すると（ステップ２３）、このカメラ制御信号の受信に基づくカメラ制御装置２１の制御によって、停止中の監視カメラ１９の電源がオンとなり（ステップ１２）、監視カメラ１９が自動的に作動し選択される（ステップ１３）。そして、適宜な監視カメラ１９からの映像、すなわち緊急事態にある被監視者Ａの映像がモニタテレビ２２に映し出される（ステップ１４）。なお、単位監視特別区域Ｙ内のカメラ用送受信装置１７にて緊急信号が受信されると、通話制御装置１１からの緊急信号の出力に基づき警報器２３から緊急警報が発生する。
　【００９６】
　次に、図４のフローチャートに基づいて、セキュリティ制御装置３１、カメラ制御装置２１、セキュリティ側接続ユニット３５等の緊急事態発生時の動作について説明する。
　【００９７】
　施設１内の空間に異常が発生、例えば部外者の侵入が発生した場合には、空間系センサ２８がこの空間異常を検知し、この空間系センサ２８からセンサ検知信号が送信される（ステップ２４）
　このセンサ検知信号は、セキュリティ制御装置３１にて受信され（ステップ２５）、そして、このセンサ検知信号を受信したセキュリティ制御装置３１は動作し、このセキュリティ制御装置３１に接続された警報器３３が緊急警報を発生する（ステップ２６）。
　【００９８】
　また、この警報器３３から緊急警報が発生すると、この緊急警報に基づき、セキュリティ側接続ユニット３５からカメラ制御装置２１へ、監視カメラ１９を作動させる制御信号が出力される（ステップ２７）。
　【００９９】
　その結果、カメラ制御装置２１の制御によって、停止中の監視カメラ１９の電源がオンとなり（ステップ２８）、監視カメラ１９が自動的に作動し選択される（ステップ２９）。そして、適宜な監視カメラ１９からの映像、すなわち緊急事態にある空間の映像がモニタテレビ２２に映し出される（ステップ３０）。
　【０１００】
　また、例えば、無線送信端末機２を携帯した徘徊者である被監視者Ａが、監視者Ｂに無断で外出しようとした場合には、空間系センサ２８が、その被監視者Ａの携帯する無線送信端末機２を検知し空間異常としてセンサ検知信号を送信して、警報器３３による緊急警報が発生する。
　【０１０１】
　一方、施設１内の設備３７に異常が発生、例えば施錠されているはずの門扉が解錠された場合には、この設備３７に接続された設備系センサ３８がこの設備異常を検知し、この設備系センサ３８からセンサ検知信号が設備用送受信装置４０に出力される（ステップ３１）。
　【０１０２】
　このセンサ検知信号を入力した設備用送受信装置４０は、このセンサ検知信号をセキュリティ制御装置３１へ出力し、このセンサ検知信号はセキュリティ制御装置３１にて受信され（ステップ２５）、そして、このセンサ検知信号を受信したセキュリティ制御装置３１は動作して緊急信号を出力し、このセキュリティ制御装置３１に接続された警報器３３が緊急警報を発生する（ステップ２６）。
　【０１０３】
　この警報器３３から緊急警報が発生すると同時に、セキュリティ制御装置３１からの緊急信号の出力に基づき、セキュリティ側接続ユニット３５から制御信号が出力され（ステップ２７）、その結果、停止中の監視カメラ１９の電源がオンとなり（ステップ２８）、監視カメラ１９が自動的に作動し選択され（ステップ２９）、適宜な監視カメラ１９からの映像、すなわち緊急事態にある設備３７の映像がモニタテレビ２２に映し出される（ステップ３０）。
　【０１０４】
　さらに、無線送信端末機２を携帯する被監視者Ａが、施設１内の空間異常、設備異常等に気付いた場合に、その被監視者Ａが、無線送信端末機２のスイッチ操作部３を適宜に操作すると（ステップ３２）、この無線送信端末機２から異常緊急信号が設備用送受信装置４０に送信される（ステップ３３）。
　【０１０５】
　この異常緊急信号を設備用送受信装置４０が受信すると（ステップ３４）、この設備用送受信装置４０は、この異常緊急信号をセンサ検知信号としてセキュリティ制御装置３１に送信する（ステップ３５）。
　【０１０６】
　そして、このセンサ検知信号がセキュリティ制御装置３１にて受信され（ステップ３６）、そして、このセンサ検知信号を受信したセキュリティ制御装置３１は動作し、このセキュリティ制御装置３１に接続された警報器３３から緊急警報が発生する（ステップ２６）。
　【０１０７】
　この警報器３３から緊急警報が発生すると同時に、セキュリティ制御装置３１からの緊急信号の出力に基づき、セキュリティ側接続ユニット３５から制御信号が出力され（ステップ２７）、その結果、停止中の監視カメラ１９の電源がオンとなり（ステップ２８）、監視カメラ１９が自動的に作動し選択され（ステップ２９）、適宜な監視カメラ１９からの映像、すなわち緊急事態にある空間、或いは設備３７の映像がモニタテレビ２２に映し出される（ステップ３０）。
　【０１０８】
　一方、上述の空間異常、設備異常等の緊急事態発生時において、施設１内の設備３７の制御が必要であると判断された場合、例えば門扉を施錠制御する場合には、セキュリティ制御装置３１からの設備制御信号により、その設備３７が制御される（ステップ３７）。
　【０１０９】
　また、前記設備系センサ３８は、必要に応じて設備３７の状態を検知し、設備状態表示信号を設備用送受信装置４０に出力する（ステップ３８）。すると、この設備状態表示信号を、セキュリティ制御装置３１が設備用送受信装置４０を経て受信し（ステップ３９）、このセキュリティ制御装置３１は、設備状態表示信号の受信に基づき、設備３７が正常状態にあるか或いは異常状態にあるかを表示器４２にて表示する（ステップ４０）。
　【０１１０】
　そして、この表示器４２にて設備３７の状態が確認されると、この確認に基づき、セキュリティ側接続ユニット３５からカメラ制御装置２１へ、監視カメラ１９の作動を停止させる制御信号が出力される（ステップ４１）。その結果、カメラ制御装置２１の制御によって、作動中の監視カメラ１９の電源がオフとなり（ステップ４２）、作動中の監視カメラ１９が自動的に停止する。
　【０１１１】
　次に、図５のフローチャートに基づいて、外部通信ユニット４５による施設１の外部への情報通信時の動作について説明する。
　【０１１２】
　緊急事態発生時に、通話制御装置１１が緊急信号を発生し、この通話制御装置１１に接続された警報器１５から緊急警報が発生し（ステップ４３）、通話側接続ユニット２５から監視カメラ１９の作動制御信号が出力され（ステップ４４）、或いは、セキュリティ制御装置３１が緊急信号を発生しこのセキュリティ制御装置３１に接続された警報器３３から緊急警報が発生し（ステップ４５）、セキュリティ側接続ユニット３５から監視カメラ１９の作動制御信号が出力される（ステップ４６）こと等により、カメラ制御装置２１の制御によって、停止中の監視カメラ１９が自動的に作動し選択され、適宜な監視カメラ１９からの映像がモニタテレビ２２に映し出される（ステップ４７）。
　【０１１３】
　そして、セキュリティ側接続ユニット３５が、カメラ制御装置２１による監視カメラ１９の作動に基づき、外部通信ユニット４５へ監視カメラ１９からの映像信号を外部４４に送信させる制御信号を出力する（ステップ４８）。
　【０１１４】
　その結果、外部通信ユニット４５からその映像信号が、電話回線等の通信回線を通って、外部４４の警備機関等に自動的に送信される（ステップ４９）。
　【０１１５】
　一方、セキュリティ制御装置３１に接続された警報器３３から緊急警報が発生したときには（ステップ４５）、セキュリティ側接続ユニット３５が、緊急信号の出力に基づき、外部通信ユニット４５へ緊急警報信号を外部４４に送信させる制御信号を出力する（ステップ５０）。
　【０１１６】
　その結果、外部通信ユニット４５から緊急警報信号が、電話回線等の通信回線を通って、外部４４の警備機関等に自動的に送信される（ステップ４９）。
　【０１１７】
　次に、図６のフローチャートに基づいて、施設１の外部４４からの外部通信ユニット４５による制御通信時の動作について説明する。
　【０１１８】
　施設１の外部４４から遠隔制御で施設１内の設備３７を制御し、或いは施設１内の情報を取り出す場合には、例えば公衆電話を利用して施設１に電話をかけ（ステップ５１）、外部通信ユニット４５と通信回線で接続する（ステップ５２）。
　【０１１９】
　そして、外部４４からこの通信回線を通して制御信号を送信すると（ステップ５３）、この制御信号は、外部通信ユニット４５にて受信される（ステップ５４）。
　【０１２０】
　この制御信号が設備３７を制御する設備制御信号であるときは、外部通信ユニット４５がその設備制御信号を受信すると、この受信に基づき、セキュリティ側接続ユニット３５は、セキュリティ制御装置３１に対して、その設備制御信号を設備制御用受信装置４３に送信させる制御信号を出力する（ステップ５５）。
　【０１２１】
　その結果、セキュリティ制御装置３１から設備制御信号が設備制御用受信装置４３に自動的に送信され（ステップ５６）、この設備制御信号を設備制御用受信装置４３が受信すると（ステップ５７）、この設備制御信号に応じて設備３７が制御される（ステップ５８）。
　【０１２２】
　また、前記外部通信ユニット４５にて受信される制御信号が、監視カメラ１９を制御する監視カメラ制御信号であるときは、外部通信ユニット４５がその監視カメラ制御信号を受信すると、この受信に基づき、セキュリティ側接続ユニット３５は、カメラ制御装置２１に対して、監視カメラ制御信号に基づき監視カメラ１９を制御させる制御信号を出力する（ステップ５９）。
　【０１２３】
　その結果、カメラ制御装置２１から監視カメラ制御信号が監視カメラ１９に、有線または無線で送信され、この監視カメラ制御信号に基づき監視カメラ１９が制御され、適宜な監視カメラ１９からの映像がモニタテレビ２２に映し出される（ステップ６０）。
　【０１２４】
　そして、セキュリティ側接続ユニット３５が、カメラ制御装置２１による監視カメラ１９の作動に基づき、外部通信ユニット４５へ監視カメラ１９からの映像信号を外部４４に送信させる制御信号を出力する（ステップ６１）。
　【０１２５】
　その結果、外部通信ユニット４５からその映像信号が、電話回線等の通信回線を通って、外部４４の警備機関等に自動的に送信される（ステップ６２）。
　【０１２６】
　さらに、前記外部通信ユニット４５にて受信される制御信号が、表示器４２を制御する表示器制御信号であるときは、外部通信ユニット４５がその表示器制御信号を受信すると、この受信に基づき、セキュリティ側接続ユニット３５は設備用送受信装置４０からセキュリティ制御装置３１へ送信された設備状態表示信号を検知する（ステップ６３）。
　【０１２７】
　そして、この設備状態表示信号の検知に基づき、セキュリティ側接続ユニット３５が、外部通信ユニット４５へ設備３７の状態信号を外部４４に送信させる制御信号を出力する（ステップ６４）。
　【０１２８】
　その結果、外部通信ユニット４５からその状態信号が、電話回線等の通信回線を通って、外部４４の警備機関等に自動的に送信される（ステップ６２）。
　【０１２９】
　このようにして、上記一実施の形態によれば、施設１内の単位監視区域Ｘ内における緊急事態発生時に、無線送信端末機２を携帯する被監視者Ａは、従来のように被監視側インターホン７を操作することなく携帯する無線送信端末機２のスイッチ操作部３を操作することで、緊急警報を発生させることができるため、例えば、被監視側インターホン７を操作できない位置で倒れ動けなくなった場合でも、監視者Ｂに確実に緊急事態の発生を知らせることができ、緊急監視が確実となる。
　【０１３０】
　また、監視者Ｂは、通話制御装置１１およびカメラ制御装置２１の連動によって、監視側インターホン１３にて被監視者Ａと適宜に通話できるとともに、モニタテレビ２２にて被監視者Ａの映像を見ることができるので、被監視者Ａの状態を音声とともに映像をもって知ることができ、素早く的確な状況把握および処置ができ、緊急監視が確実となる。
　【０１３１】
　さらに、カメラ制御装置２１が、監視カメラ１９の作動・選択・停止を自動制御するため、緊急事態発生時に監視者Ｂが監視カメラ１９を操作する必要がなく、きわめて便利であり、しかも、必要な場合以外は監視カメラ１９は停止しているため、無駄な電力消費を防止でき、また、プライバシー保護も図ることができる。
　【０１３２】
　また、施設１内の単位監視区域Ｘ内における緊急事態発生時に、無線送信端末機２を携帯する被監視者Ａは、携帯する無線送信端末機２のスイッチ操作部３を操作することで緊急音声発生信号を発生させ、この緊急音声発生信号を受信する受信装置４から肉声に代わる固定音声を発生させることができるため、例えば、苦しくて声が出せず肉声で通話できない場合でも、自己の状態を監視者Ｂに知らせることができる。
　【０１３３】
　さらに、施設１内の単位監視特別区域Ｙ内において、緊急事態が発生した場合においても、無線送信端末機２を携帯する被監視者Ａが無線送信端末機２のスイッチ操作部３を操作すると、監視カメラ１９が自動的に作動し選択され、適宜な監視カメラ１９からの映像がモニタテレビ２２に映し出され、また適宜に警報器１５から緊急警報が発生するため、緊急事態の発生が監視者Ｂに報知され、そして、監視者Ｂはモニタテレビ２２にて被監視者Ａの映像を見ることができ、被監視者Ａの状態を映像をもって知ることができ、素早く的確な状況把握および処置ができ、緊急監視が確実となる。
　【０１３４】
　また、施設１内の空間異常発生時に、空間系センサ２８がセンサ検知信号を送信すると、緊急警報が発生するとともに、監視カメラ１９が連動して自動的に作動し選択され、適宜な監視カメラ１９からの映像がモニタテレビ２２に映し出されるため、緊急事態の発生が監視者Ｂに報知され、そして、監視者Ｂはモニタテレビ２２にて空間異常の状態を映像をもって知ることができ、素早く的確な状況把握および処置ができ、緊急監視が確実となる。
　【０１３５】
　さらに、施設１内の設備３７の異常発生時に、設備系センサ３８がセンサ検知信号を出力すると、緊急警報が発生するとともに、監視カメラ１９が連動して自動的に作動し選択され、適宜な監視カメラ１９からの映像がモニタテレビ２２に映し出されるため、緊急事態の発生が監視者Ｂに報知され、そして、監視者Ｂはモニタテレビ２２にて設備３７の異常状態を映像をもって知ることができ、素早く的確な状況把握および処置ができ、緊急監視が確実となる。
　【０１３６】
　また、設備系センサ３８が設備３７の状態を検知し、設備状態表示信号を設備用送受信装置４０に出力すると、この設備状態表示信号をセキュリティ制御装置３１が設備用送受信装置４０を経て受信し、このセキュリティ制御装置３１の表示器４２にて、設備３７が正常状態にあるか、或いは異常状態にあるか、表示されるため、監視者Ｂは表示器４２にて設備３７が、正常状態であるか異常状態であるかを知ることができる。
　【０１３７】
　さらに、無線送信端末機２を携帯する被監視者Ａが、施設１内の空間異常、設備異常等に気付いた場合に、携帯する無線送信端末機２のスイッチ操作部３を操作することで、緊急警報を発生させることができ、また、監視カメラ１９からの映像がモニタテレビ２２に映し出されるため、例えば、空間系センサ２８、設備系センサ３８が検知不可能な異常が発生した場合において、その異常に気付いた被監視者Ａは、その場で瞬時に監視者Ｂに、緊急事態の発生を報知でき、また、空間、設備異常の状態の映像がモニタテレビ２２に映し出され、よって、無線送信端末機２と、空間系センサ２８および設備系センサ３８との組み合わせにより、緊急監視がさらに確実となる。
　【０１３８】
　また、セキュリティ側接続ユニット３５が緊急警報に基づき外部通信ユニット４５へ緊急警報信号を、施設１の外部４４に送信させる制御信号を出力するため、緊急警報信号が、電話回線等の通信回線を通って施設１の外部４４に自動的に送信され、外部４４の警備機関等にも、緊急事態の発生を知らせることができる。
　【０１３９】
　さらに、セキュリティ側接続ユニット３５が、監視カメラ１９の作動に基づき、外部通信ユニット４５へ映像信号を施設１の外部４４に送信させる制御信号を出力するため、映像信号が通信回線を通って施設１の外部４４に自動的に送信され、外部４４の警備機関等も、施設１内の異常の状態を映像をもって知ることができ、素早く的確な状況把握および処置ができ、緊急監視が確実となる。
　【０１４０】
　また、外部通信ユニット４５が施設１の外部４４からの設備制御信号を受信した場合には、この受信に基づき、セキュリティ側接続ユニット３５が、セキュリティ制御装置３１へ設備制御信号を設備制御用受信装置４３に送信させる制御信号を出力するため、セキュリティ制御装置３１から設備制御信号が設備制御用受信装置４３に送信されるので、外部４４から遠隔操作で、施設１内の設備３７を自動制御でき、また、設備３７が正常状態であるか異常状態であるかを知ることができ、省力化を企てることができる。
　【０１４１】
　さらに、外部通信ユニット４５が施設１の外部４４からの監視カメラ制御信号を受信した場合には、この受信に基づき、セキュリティ側接続ユニット３５が、カメラ制御装置２１へ、監視カメラ制御信号に基づき監視カメラ１９を制御させる制御信号を出力するため、カメラ制御装置２１にて監視カメラ１９が制御され、外部４４から遠隔操作で、施設１内の映像を容易に見ることができ、省力化を企てることができる。
　【０１４２】
　また、監視者Ｂは、特別追跡信号を送信する無線送信端末機２を携帯した被監視者Ａの所在を、必要に応じて瞬時に知ることができる。
　【０１４３】
　さらに、設備系センサ３８と無線送信端末機２との組合わせにより、徘徊者である被監視者Ａの外出警報を確実に発生させることができる。
　【０１４４】
　なお、上記一実施の形態においては、病院の施設１において緊急事態が発生した場合にその緊急事態の発生を報知する緊急監視装置について説明したが、この病院の施設１には限定されず、銀行、商店、交通施設、工場、倉庫、現金輸送車等の緊急監視についても適用できる。
　【０１４５】
　【発明の効果】
　請求項１記載の発明によれば、緊急事態発生時に、無線送信端末機を携帯する者は、従来のように通話装置を操作することなく、携帯する無線送信端末機のスイッチ操作部を操作すれば足り、通話装置を操作できない位置からでも、監視者等に確実に緊急事態の発生を知らせることができ、緊急監視が確実となる。
　【０１４６】
　また、監視者等は、通話制御装置およびカメラ制御装置によって、一方の通話装置にて被監視者等と適宜に通話できるとともに、モニタテレビにて被監視者等の映像を見ることができるので、被監視者等の状態を映像をもって知ることができ、素早く的確な状況把握および処置ができ、緊急監視が確実となる。
　【０１４７】
　さらに、カメラ制御装置が、監視カメラの作動・選択・停止を自動制御するため、緊急事態発生時に監視カメラを操作する必要がなくきわめて便利であり、しかも、必要な場合以外は監視カメラは停止しているため、無駄な電力消費を防止できる。
　【０１４８】
　請求項２記載の発明によれば、緊急事態発生時に、無線送信端末機を携帯する者は、携帯する無線送信端末機のスイッチ操作部を操作することで緊急音声発生信号を発生させ、受信装置から肉声に代わる固定音声を発生させることができるため、苦しくて声が出せず肉声で通話できない場合等でも、緊急事態の状態等を監視者等に知らせることができる。
　【０１４９】
　請求項３記載の発明によれば、空間異常発生時に、空間系センサがセンサ検知信号を送信すると、緊急警報が発生するとともに、監視カメラが連動して自動的に作動し必要に応じて選択され、適宜な監視カメラからの映像がモニタテレビに映し出されるため、緊急事態の発生が監視者等に報知され、そして、監視者等はモニタテレビにて空間異常の状態を映像をもって知ることができ、素早く的確な状況把握および処置ができ、緊急監視が確実となる。
　【０１５０】
　請求項４記載の発明によれば、設備異常発生時に、設備系センサがセンサ検知信号を送信すると、緊急警報が発生するとともに、監視カメラが連動して自動的に作動し必要に応じて選択され、適宜な監視カメラからの映像がモニタテレビに映し出されるため、緊急事態の発生が監視者等に報知され、そして、監視者等はモニタテレビにて設備異常の状態を映像をもって知ることができ、素早く的確な状況把握および処置ができ、緊急監視が確実となる。
　【０１５１】
　請求項５記載の発明によれば、設備系センサが設備の状態を検知し設備状態表示信号を設備用送受信装置に出力すると、このセキュリティ制御装置の表示器にて、設備が正常状態にあるか或いは異常状態にあるか表示されるため、監視者等は表示器にて設備が正常状態か異常状態かを知ることができる。
　【０１５２】
　請求項６記載の発明によれば、無線送信端末機を携帯する者が、空間異常、設備異常等に気付いた場合に、携帯する無線送信端末機のスイッチ操作部を操作することで、緊急警報を発生させることができ、また、監視カメラからの映像がモニタテレビに映し出されるため、空間系センサ、設備系センサが検知不可能な異常が発生した場合等でも、その場で瞬時に監視者等に緊急事態の発生を知らせることができ、無線送信端末機と空間系センサおよび設備系センサとの組み合わせにより、緊急監視がさらに確実となる。
　【０１５３】
　請求項７記載の発明によれば、セキュリティ側接続ユニットが緊急警報に基づき外部通信ユニットへ緊急警報信号を外部に送信させる制御信号を出力するため、緊急警報信号が通信回線を通って外部に自動的に送信され、外部の警備機関等にも、緊急事態の発生を知らせることができる。
　【０１５４】
　請求項８記載の発明によれば、セキュリティ側接続ユニットが監視カメラの作動に基づき外部通信ユニットへ映像信号を外部に送信させる制御信号を出力するため、映像信号が通信回線を通って外部に自動的に送信され、外部の警備機関等も、異常の状態を映像をもって知ることができ、素早く的確な状況把握および処置ができ、緊急監視が確実となる。
　【０１５５】
　請求項９記載の発明によれば、外部通信ユニットが外部からの設備制御信号を受信した場合には、セキュリティ側接続ユニットが、セキュリティ制御装置へ設備制御信号を設備制御用受信装置に送信させる制御信号を出力するため、セキュリティ制御装置から設備制御信号が設備制御用受信装置に送信されるので、外部から遠隔操作で設備を自動制御でき、省力化を企てることができる。
　【０１５６】
　請求項１０記載の発明によれば、外部通信ユニットが外部からの監視カメラ制御信号を受信した場合には、セキュリティ側接続ユニットが、カメラ制御装置へ監視カメラ制御信号に基づき監視カメラを制御させる制御信号を出力するため、カメラ制御装置にて監視カメラが制御されるので、外部から遠隔操作で映像を容易に見ることができ、省力化を企てることができる。
【図面の簡単な説明】
　【図１】
　本発明の緊急監視装置の一実施の形態を示すブロック図である。
　【図２】
　同上緊急監視装置を示す説明図である。
　【図３】
　同上緊急監視装置が備えた通話制御装置１１、カメラ制御装置２１、通話側接続ユニット２５の緊急事態発生時の動作を示すフローチャートである。
　【図４】
　同上緊急監視装置が備えたセキュリティ制御装置３１、カメラ制御装置２１、セキュリティ側接続ユニット３５の緊急事態発生時の動作を示すフローチャートである。
　【図５】
　同上緊急監視装置が備えた外部通信ユニットの情報通信時の動作を示すフローチャートである。
　【図６】
　同上緊急監視装置の外部通信ユニットの制御通信時の動作を示すフローチャートである。
　【符号の説明】
　　２　　無線送信端末機
　　３　　スイッチ操作部
　　４　　受信装置
　　７　　一方の通話装置としての被監視側インターホン
　１１　　通話制御装置
　１３　　他方の通話装置としての監視側インターホン
　１５　　警報器
　１９　　監視カメラ
　２１　　カメラ制御装置
　２２　　モニタテレビ
　２５　　通話側接続ユニット
　２８　　センサとしての空間系センサ
　３１　　セキュリティ制御装置
　３３　　警報器
　３５　　セキュリティ側接続ユニット
　３７　　設備
　３８　　センサとしての設備系センサ
　４０　　設備用送受信装置
　４２　　表示器
　４３　　設備制御用受信装置
　４４　　外部
　４５　　外部通信ユニット